(57)【要約】【課題】ディスプレイ作業中の作業者が作業環境の悪化などに気づきやすくする情報処理システム及び作業環境報知方法。【解決手段】環境情報検出手段１１０により室内の温度、湿度、明るさを検出し、それに基づいて環境評価手段１１１で作業環境の快適度を求め、快適度判定手段１３０で快適度と閾値との比較判定を行う。この判定で快適度が悪化したと判定されたときには、画像の符号データは符号編集手段１２２で符号破棄により解像度、画質、色味等が変更された後に復号手段１０１に入力されるため、その復号画像データは業務環境の快適度を反映したものとなる。作業環境の悪化の報知のため、復号画像データは業務処理手段１００の表示データとともに表示手段１０４の画面に表示される。【選択図】図５
2006318189.tif 000002
【特許請求の範囲】
【請求項１】
作業者が業務を遂行するための業務処理手段と、
前記業務処理手段を利用して業務を遂行する作業者の作業環境情報を検出する環境情報検出手段と、
前記環境情報検出手段により検出された作業環境情報から作業環境の評価値を求める環境評価手段と、
前記環境評価手段により求められた評価値の高低を反映した画像データを入力する画像データ入力手段と、
データを表示する表示手段と、
前記業務処理手段より業務の遂行に伴って生成されたデータ及び前記画像データ入力手段により入力された画像データを前記表示手段の画面に表示させる手段と、
を有すること特徴とする情報処理システム。
【請求項２】
前記業務処理手段より業務の遂行に伴って生成されたデータ及び前記画像データ入力手段により入力された画像データは前記表示手段の画面上の別々のウィンドウに表示されることを特徴とする請求項１記載の情報処理システム。
【請求項３】
前記業務処理手段より業務の遂行に伴って生成されたデータは前景として前記表示手段の画面に表示され、前記画像データ入力手段により入力された画像データは背景として前記表示手段の画面に表示されることを特徴とする請求項１記載の情報処理システム。
【請求項４】
前記画像データ入力手段は、画像の符号データを入力する符号入力手段と、前記環境評価手段により求められた評価値を閾値と比較判定する判定手段と、前記符号入力手段により入力された符号データに対し前記判定手段の判定結果に応じて符号を破棄する編集処理を行う符号編集手段と、該符号編集手段により編集後の符号データを復号する復号手段とを有し、該復号手段による復号画像データを前記評価値の高低を反映した画像データとして入力することを特徴とする請求項１記載の情報処理システム。
【請求項５】
前記画像データ入力手段は、画像の符号データを入力する符号入力手段と、前記環境評価手段により求められた評価値を閾値と比較判定する判定手段と、前記符号入力手段により入力された符号データを復号する復号手段と、該復号手段より出力された復号画像データに対し前記判定手段の判定結果に応じた編集処理を行う画像編集手段とを有し、該画像編集手段により編集後の画像データを前記評価値の高低を反映した画像データとして入力することを特徴とする請求項１記載の情報処理システム。
【請求項６】
前記環境評価手段により求められた評価値の高低は、前記画像データ入力手段により入力された画像データの解像度の変化として反映されることを特徴とする請求項４又は５記載の情報処理システム。
【請求項７】
前記環境評価手段により求められた評価値の高低は、前記画像データ入力手段により入力された画像データの画質の変化として反映されることを特徴とする請求項４又は５記載の情報処理システム。
【請求項８】
前記環境評価手段により求められた評価値の高低は、前記画像データ入力手段により入力された画像データの色味の変化として反映されることを特徴とする請求項４又は５記載の情報処理システム。
【請求項９】
前記環境評価手段により求められた評価値の高低は、前記画像データ入力手段により入力された画像データに含まれる、前記符号データの原画像データ上の領域の増減として反映されることを特徴とする請求項４又は５記載の情報処理システム。
【請求項１０】
作業者が業務を遂行するための業務処理手段と、
データを表示する表示手段と、
前記業務処理手段より業務の遂行に伴って生成されたデータを前記表示手段の画面に表示させる手段と、
前記業務処理手段を利用して業務を遂行する作業者の作業環境情報を検出する環境情報検出手段と、
前記環境情報検出手段により検出された作業環境情報から作業環境の評価値を求める環境評価手段と、
前記環境評価手段により求められた評価値を閾値と比較判定する判定手段と、
前記業務処理手段より業務の遂行に伴って生成されたデータの前記表示手段による表示を、前記判定手段の判定結果に応じて撹乱させる手段と、
を有すること特徴とする情報処理システム。
【請求項１１】
前記閾値は作業者毎に設定されることを特徴とする請求項４，５又は１０記載の情報処理システム。
【請求項１２】
情報処理システムを利用し業務を遂行する作業者の作業環境情報を検出し、検出した作業環境情報から作業環境の評価値を求め、求めた評価値の高低を反映した画像データを前記情報処理システムに入力して該画像データを前記作業者の業務に関連したデータが表示される前記情報処理システムの表示手段の画面に表示させることを特徴とする作業環境報知方法。
【請求項１３】
情報処理システムを利用し業務を遂行する作業者の作業環境情報を検出し、検出した作業環境情報から作業環境の評価値を求め、求めた評価値を閾値と比較判定し、その判定結果に応じて、前記情報処理システムの表示手段による前記作業者の業務に関連したデータの表示を撹乱させることを特徴とする作業環境報知方法。
【請求項１４】
作業者が業務を遂行するための業務処理手段と、
前記業務処理手段を利用して業務を遂行する作業者の作業環境情報を検出する環境情報検出手段と、
前記環境情報検出手段により検出された作業環境情報から作業環境の評価値を求める環境評価手段と、
前記環境評価手段により求められた評価値を閾値と比較判定する判定手段と、
画像の符号データを入力する符号入力手段と、
前記符号入力手段により入力された符号データに対し前記判定手段の判定結果に応じて符号を破棄する編集処理を行う符号編集手段と、
該符号編集手段により編集後の符号データを復号して前記評価値の高低を反映した画像データを生成する復号手段と、
データを表示する表示手段と、
前記業務処理手段より業務の遂行に伴って生成されたデータ及び前記復号手段により生成された画像データを前記表示手段の画面に表示させる手段と、
を有する情報処理システムにおける前記符号入力手段、前記判定手段、前記符号編集手段、前記復号手段、前記表示手段、及び、前記表示させる手段としてコンピュータを機能させるプログラム。
【請求項１５】
作業者が業務を遂行するための業務処理手段と、
前記業務処理手段を利用して業務を遂行する作業者の作業環境情報を検出する環境情報検出手段と、
前記環境情報検出手段により検出された作業環境情報から作業環境の評価値を求める環境評価手段と、
前記環境評価手段により求められた評価値を閾値と比較判定する判定手段と、
画像の符号データを入力する符号入力手段と、
前記符号入力手段により入力された符号データを復号する復号手段と、
前記復号手段より出力された復号画像データに対し前記判定手段の判定結果に応じた編集処理を行うことにより前記評価値の高低を反映した画像データを生成する画像編集手段と、
データを表示する表示手段と、
前記業務処理手段より業務の遂行に伴って生成されたデータ及び前記画像編集手段により生成された画像データを前記表示手段の画面に表示させる手段と、
を有する情報処理システムにおける前記符号入力手段、前記判定手段、前記復号手段、前記画像編集手段、前記表示手段、及び、前記表示させる手段としてコンピュータを機能させるプログラム。
【請求項１６】
作業者が業務を遂行するための業務処理手段と、
データを表示する表示手段と、
前記業務処理手段より業務の遂行に伴って生成されたデータを前記表示手段の画面に表示させる手段と、
前記業務処理手段を利用して業務を遂行する作業者の作業環境情報を検出する環境情報検出手段と、
前記環境情報検出手段により検出された作業環境情報から作業環境の評価値を求める環境評価手段と、
前記環境評価手段により求められた評価値を閾値と比較判定する判定手段と、
前記業務処理手段より業務の遂行に伴って生成されたデータの前記表示手段による表示を、前記判定手段の判定結果に応じて撹乱させる手段と、
を有する情報処理システムにおける前記表示手段、前記表示させる手段、前記判定手段、及び、前記撹乱させる手段としてコンピュータを機能させるプログラム。
【請求項１７】
請求項１４，１５又は１６記載のプログラムが記録された、コンピュータが読み取り可能な情報記録媒体。
【発明の詳細な説明】
【技術分野】
【０００１】
本発明は、情報処理システムを利用して作業を遂行する作業者が作業環境の悪化などに気づきやすいようにする技術に関する。
【背景技術】
【０００２】
特許文献１に、ゲーム機において、周囲の温度及び明るさに対応した仮想生命体を記憶手段より読み出して表示させることを内容とする発明が記載されている。
【０００３】
特許文献２に、画像サーバより画像を受信してディスプレイに表示する端末装置において、画像サーバ側にディスプレイの周囲の照明条件と端末の表示特性の組み合わせに対する最適画像処理パラメータを格納したデータベースを備え、表示画像の指定と端末表示特性とディスプレイの周囲の照明条件を画像サーバへ送信することにより、当該画像サーバから最適画像処理を行った画像を受信することを内容とする発明が記載されている。
【０００４】
特許文献３に、プロジェクタにおいて、色光センサーにより画像の被表示領域の視環境を計測し、環境光の影響がある場合に、低階調域の出力を上げるように画像表示手段の入出力特性データを補正することを内容とする発明が記載されている。
【０００５】
【特許文献１】特開２０００−１１６９４８号公報
【特許文献２】特開２００４−２１９７３１号公報
【特許文献３】特開２００２−１２５１２５号公報
【発明の開示】
【発明が解決しようとする課題】
【０００６】
近年、情報処理システムを利用してプログラミングその他の業務を遂行する作業者が、作業環境の悪化に気づかずに作業を続けることにより健康を害する事例が増加してきている。
【０００７】
よって、本発明の目的は、情報処理システムを利用して作業を遂行する作業者が作業環境の悪化などに気づきやすいようにすることにある。
【課題を解決するための手段】
【０００８】
請求項１の発明は、作業者が業務を遂行するための業務処理手段と、この業務処理手段を利用して業務を遂行する作業者の作業環境情報を検出する環境情報検出手段と、この環境情報検出手段により検出された作業環境情報から作業環境の評価値を求める環境評価手段と、この環境評価手段により求められた評価値の高低を反映した画像データを入力する画像データ入力手段と、データを表示する表示手段と、前記業務処理手段より業務の遂行に伴って生成されたデータ、及び、前記画像データ入力手段により入力された画像データを、前記表示手段の画面に表示させる手段とを有すること特徴とする情報処理システムである。
【０００９】
請求項２の発明は、請求項１の発明に係る情報処理システムであって、前記業務処理手段より業務の遂行に伴って生成されたデータ及び前記画像データ入力手段により入力された画像データは前記表示手段の画面上の別々のウィンドウに表示されることを特徴とする情報処理システムである。
【００１０】
請求項３の発明は、請求項１の発明に係る情報処理システムであって、前記業務処理手段より業務の遂行に伴って生成されたデータは前景として前記表示手段の画面に表示され、前記画像データ入力手段により入力された画像データは背景として前記表示手段の画面に表示されることを特徴とする情報処理システムである。
【００１１】
請求項４の発明は、請求項１の発明に係る情報処理システムであって、前記画像データ入力手段は、画像の符号データを入力する符号入力手段と、前記環境評価手段により求められた評価値を閾値と比較判定する判定手段と、前記符号入力手段により入力された符号データに対し前記判定手段の判定結果に応じて符号を破棄する編集処理を行う符号編集手段と、該符号編集手段により編集後の符号データを復号する復号手段とを有し、該復号手段による復号画像データを前記評価値の高低を反映した画像データとして入力することを特徴とする情報処理システムである。
【００１２】
請求項５の発明は、請求項１の発明に係る情報処理システムであって、前記画像データ入力手段は、画像の符号データを入力する符号入力手段と、前記環境評価手段により求められた評価値を閾値と比較判定する判定手段と、前記符号入力手段により入力された符号データを復号する復号手段と、該復号手段より出力された復号画像データに対し前記判定手段の判定結果に応じた編集処理を行う画像編集手段とを有し、該画像編集手段により編集後の画像データを前記評価値の高低を反映した画像データとして入力することを特徴とする情報処理システムである。
【００１３】
請求項６の発明は、請求項４又は５の発明に係る情報処理システムであって、前記環境評価手段により求められた評価値の高低は、前記画像データ入力手段により入力された画像データの解像度の変化として反映されることを特徴とする情報処理システムである。
【００１４】
請求項７の発明は、請求項４又は５の発明に係る情報処理システムであって、前記環境評価手段により求められた評価値の高低は、前記画像データ入力手段により入力された画像データの画質の変化として反映されることを特徴とする情報処理システムである。
【００１５】
請求項８の発明は、請求項４又は５の発明に係る情報処理システムであって、前記環境評価手段により求められた評価値の高低は、前記画像データ入力手段により入力された画像データの色味の変化として反映されることを特徴とする情報処理システムである。
【００１６】
請求項９の発明は、請求項４又は５の発明に係る情報処理システムであって、前記環境評価手段により求められた評価値の高低は、前記画像データ入力手段により入力された画像データに含まれる、前記符号データの原画像データ上の領域の増減として反映されることを特徴とする情報処理システムである。
【００１７】
請求項１０の発明は、作業者が業務を遂行するための業務処理手段と、データを表示する表示手段と、前記業務処理手段より業務の遂行に伴って生成されたデータを前記表示手段の画面に表示させる手段と、前記業務処理手段を利用して業務を遂行する作業者の作業環境情報を検出する環境情報検出手段と、この環境情報検出手段により検出された作業環境情報から作業環境の評価値を求める環境評価手段と、この環境評価手段により求められた評価値を閾値と比較判定する判定手段と、前記業務処理手段より業務の遂行に伴って生成されたデータの前記表示手段による表示を、前記判定手段の判定結果に応じて撹乱させる手段とを有すること特徴とする情報処理システムである。
【００１８】
請求項１１の発明は、請求項４，５，又は１０の発明に係る情報処理システムであって、前記閾値は作業者毎に設定されることを特徴とする情報処理システムである。
【００１９】
請求項１２の発明は、情報処理システムを利用し業務を遂行する作業者の作業環境情報を検出し、検出した作業環境情報から作業環境の評価値を求め、求めた評価値の高低を反映した画像データを前記情報処理システムに入力して該画像データを前記作業者の業務に関連したデータが表示される前記情報処理システムの表示手段の画面に表示させることを特徴とする作業環境報知方法である。
【００２０】
請求項１３の発明は、情報処理システムを利用し業務を遂行する作業者の作業環境情報を検出し、検出した作業環境情報から作業環境の評価値を求め、求めた評価値を閾値と比較判定し、その判定結果に応じて、前記情報処理システムの表示手段による前記作業者の業務に関連したデータの表示を撹乱させることを特徴とする作業環境報知方法である。
【００２１】
請求項１４の発明は、作業者が業務を遂行するための業務処理手段と、この業務処理手段を利用して業務を遂行する作業者の作業環境情報を検出する環境情報検出手段と、この環境情報検出手段により検出された作業環境情報から作業環境の評価値を求める環境評価手段と、この環境評価手段により求められた評価値を閾値と比較判定する判定手段と、画像の符号データを入力する符号入力手段と、この符号入力手段により入力された符号データに対し前記判定手段の判定結果に応じて符号を破棄する編集処理を行う符号編集手段と、この符号編集手段により編集後の符号データを復号して前記評価値の高低を反映した画像データを生成する復号手段と、データを表示する表示手段と、前記業務処理手段より業務の遂行に伴って生成されたデータ及び前記復号手段により生成された画像データを前記表示手段の画面に表示させる手段とを有する情報処理システムにおける前記符号入力手段、前記判定手段、前記符号編集手段、前記復号手段、前記表示手段、及び、前記表示させる手段としてコンピュータを機能させるプログラムである。
【００２２】
請求項１５の発明は、作業者が業務を遂行するための業務処理手段と、この業務処理手段を利用して業務を遂行する作業者の作業環境情報を検出する環境情報検出手段と、この環境情報検出手段により検出された作業環境情報から作業環境の評価値を求める環境評価手段と、この環境評価手段により求められた評価値を閾値と比較判定する判定手段と、画像の符号データを入力する符号入力手段と、この符号入力手段により入力された符号データを復号する復号手段と、この復号手段より出力された復号画像データに対し前記判定手段の判定結果に応じた編集処理を行うことにより前記評価値の高低を反映した画像データを生成する画像編集手段と、データを表示する表示手段と、前記業務処理手段より業務の遂行に伴って生成されたデータ及び前記画像編集手段により生成された画像データを前記表示手段の画面に表示させる手段とを有する情報処理システムにおける前記符号入力手段、前記判定手段、前記復号手段、前記画像編集手段、前記表示手段、及び、前記表示させる手段としてコンピュータを機能させるプログラムである。
【００２３】
請求項１６の発明は、作業者が業務を遂行するための業務処理手段と、データを表示する表示手段と、前記業務処理手段より業務の遂行に伴って生成されたデータを前記表示手段の画面に表示させる手段と、前記業務処理手段を利用して業務を遂行する作業者の作業環境情報を検出する環境情報検出手段と、この環境情報検出手段により検出された作業環境情報から作業環境の評価値を求める環境評価手段と、この環境評価手段により求められた評価値を閾値と比較判定する判定手段と、前記業務処理手段より業務の遂行に伴って生成されたデータの前記表示手段による表示を、前記判定手段の判定結果に応じて撹乱させる手段とを有する情報処理システムにおける前記表示手段、前記表示させる手段、前記判定手段及び前記撹乱させる手段としてコンピュータを機能させるプログラムである。
【００２４】
請求項１７の発明は、請求項１４，１５又は１６の発明に係るプログラムが記録された、コンピュータが読み取り可能な情報記録媒体である。
【発明の効果】
【００２５】
請求項１〜１３の発明によれば、情報処理システムを利用して業務を遂行する作業者が作業中に注視している画面上に作業環境の評価値（例えば、後述のような室内の温度、湿度、明るさと、それらの理想値とから求められる快適度）を反映した画像が表示され、あるいは、作業環境の評価値についての判定結果に応じて画面上のデータの表示が撹乱される。したがって、次のような効果を得られる。
（１）作業者が業務に熱中していても、例えば終業時間を経過し空調が切られたりしたことによる作業環境の悪化などを作業者に容易に気づかせることができる。
（２）作業者が注視している画面上で作業環境の悪化などが報知されるため、音声やベル音などで音響的に報知する方法と違い、情報処理システムを利用して作業中の作業者にのみ報知することができる。
（３）また、請求項１１の発明によれば、作業環境の評価値の判定閾値を作業者毎に設定することにより、作業者の作業環境に対する感じ方の違いや従事する業務の種類などに応じた報知の制御が可能となる。
（４）作業環境の悪化などを音響的に報知する方法に比べ次のような利点を有する。警報音などで報知する方法では、情報処理システムを利用し作業を行っている作業者以外にも報知音が聞こえてしまい、これはオフィス環境としては一般に好ましいことではない。特に、請求項１１の発明のように作業者毎に報知音の鳴るタイミングを調整しようとすると何度も報知音が鳴ることになり極めて好ましくない。請求項１〜１３の発明によれば、そのような不都合を回避できる。また、作業に熱中している作業者は、警報音などをしばしば聞き逃すことがあるものであるが、請求項１〜１３の発明による画面上での報知は継続的であるため、作業環境の悪化などを確実に作業者に気づかせることができる。
【００２６】
また、請求項１４〜１７の発明によれば、コンピュータを利用し請求項４，５，１０の発明及び請求項１２，１３の発明を容易に実施可能となる。
【発明を実施するための最良の形態】
【００２７】
後述する本発明の実施形態１においては、画像の符号データとして、ＪＰＥＧ２０００の静止画符号データ又はＭｏｔｉｏｎ−ＪＰＥＧ２０００の動画符号データが用いられる。Ｍｏｔｉｏｎ−ＪＰＥＧ２０００の動画符号データは、連続した静止画をフレームとして、各フレームを個別にＪＰＥＧ２０００により符号化したものである。以下の説明の理解を容易にするため、ここでＪＰＥＧ２０００の概要を説明する。
【００２８】
ＪＰＥＧ２０００の符号化処理は概ね図１に示す流れで行われる。画像は矩形のタイルに分割される(分割数≧１)。まず、各タイルは、輝度・色差等のコンポ−ネントへ色変換される。この際、ＲＧＢ画像データなどの場合はダイナミックレンジの半分を減じるＤＣレベルシフトも行われる。
【００２９】
変換後のコンポ−ネント（タイルコンポ−ネントと呼ばれる）は、２次元ウェーブレット変換によって、LL、HL、LH、HHと略称される４つのサブバンドに分割される。そしてLLサブバンドに対して再帰的にウェーブレット変換（デコンポジション）を繰返すと、最終的に１つのLLサブバンドと複数のHL、LH、HHサブバンドが生成される。
【００３０】
３回の２次元ウェーブレット変換によるサブバンド分割を図２に示す。図２において、ｎＬＬ，ｎＨＬ，ｎＬＨ，ｎＨＨのｎは、当該サブバンド係数がｎ回目のデコンポジションにより得られことを意味する。このｎをデコンポジションレベルという。各サブバンドには解像度レベルも付記されている。
【００３１】
次に、各サブバンドはプリシンクトと呼ばれる矩形に分割される（図３参照）。プリシンクトとは、サブバンドを矩形に分割したもので、ＨＬ、ＬＨ、ＨＨ各サブバンドの対応したプリシンクト（合計３個）がひとまとまりとして扱われる。ただし、ＬＬサブバンドを分割した各プリシンクトはそれぞれ単独でプリシンクトとして扱われる。プリシンクトは、大まかには画像中の場所（Position）を表すものである。プリシンクトはサブバンドと同じサイズにできる。プリシンクトをさらに矩形に分割したものがコードブロックである（図３参照）。よって、物理的な大きさの序列は、画像≧タイル＞サブバンド≧プリシンクト≧コードブロックとなる。
【００３２】
以上の分割の後、サブバンド係数に対し（９×７変換と呼ばれる非可逆ウェーブレット変換が用いられる場合はサブバンド毎に線形量子化された後）、コードブロック単位でビットプレーン順にエントロピー符号化（ビットプレーン符号化）が行われる。
【００３３】
プリシンクトに含まれる全てのコードブロックから、ビットプレーンの符号の一部を取り出して集めたもの（例えば、全てのコードブロックのMSBから３枚目までのビットプレーンの符号を集めたもの）にヘッダをつけたものをパケットと呼ぶ。上記「一部」は「空（から）」でもいいので、パケットの中身が符号的には空(から)ということもある。パケットヘッダには、当該パケットに含まれる符号に関する情報が含まれ、各パケットは独立に扱うことができる。いわばパケットは符号の単位である。
【００３４】
全てのプリシンクト（＝全てコードブロック＝全てのサブバンド）のパケットを集めると、画像全域の符号の一部（例えば画像全域のウェーブレット係数の、MSBから３枚目までのビットプレーンの符号）ができるが、これをレイヤーと呼ぶ。レイヤーは大まかには画像全体のビットプレーンの符号の一部であるから、復号されるレイヤー数が増えれば画質は上がることになる。すなわち。レイヤーはビット深さ方向に形成された画質の単位である。すべてのレイヤーを集めると、画像全域の全てのビットプレーンの符号になる。
【００３５】
図４の上段に、デコンポジションレベル数＝２、プリシンクトサイズ＝サブバンドサイズとしたときのレイヤーを示し、また、下段にレイヤーに含まれるパケットの例を太線で囲んで示す。パケットは、プリシンクトを単位とするものであるから、プリシンクトサイズ＝サブバンドサイズとした場合、ＨＬ〜ＨＨサブバンドをまたいだものとなる。なお、不要な符号はパケットとして生成する必要はない。例えば、図４上段に示すレイヤー９に含まれるような下位ビットプレーンの符号は破棄されるのが通常である。
【００３６】
最後に、パケットを所定の順序（プログレッションオーダー）で配列しヘッダ等を付加することにより１本のコードストリーム（符号データ）を形成する。パケットは
・どのコンポ−ネント（記号C）に属するか、
・どの解像度レベル（記号R）に属するか、
・どのプリシンクト（"場所"）（記号P）に属するか、
・どのレイヤ（記号L）に属するか
という４つの属性を有する。パケットの配列とは、パケットをどの属性の順に階層的に並べるかを意味する。この配列順をプログレッションオーダと呼び、ＪＰＥＧ２０００では５通りのプログレッションオーダが規定されている。
【００３７】
以下、図面を参照して本発明の実施形態について説明する。なお、以下の説明で参照される複数のブロック図において、説明の重複を減らすため同一又は対応する手段には同一番号を付して説明する。
【００３８】
［実施形態１］
図５は、本発明の実施形態１に係るシステムの全体的構成を示すブロック図である。ここに示す情報処理システムは、業務処理手段１００、表示データ記憶手段１０２、表示制御手段１０３、表示手段１０４を含む。業務処理手段１００は作業者が文書作成、表計算、プログラミングその他の業務処理を遂行するための手段であり、具体的にはコンピュータ上で動作するアプリケーションプログラム等である。業務処理手段１００によって業務処理に関連して生成される表示データ（１）は、表示データ記憶手段１０２に書き込まれ、表示制御手段１０３の制御により表示手段１０４に画面表示される。図５には示されていないが、通常、表示手段１０４の画面と連携したＧＵＩ（グラフィカル・ユーザ・インターフェース）が備えられ、このＧＵＩを通じて作業者は入力操作を行って業務を遂行する。
【００３９】
当該情報処理システムは復号手段１０１を含む。この復号手段１０１は静止画符号データ（本実施形態ではＪＰＥＧ２０００静止画符号データ）又は動画符号データ（本実施形態ではＭｏｒｔｉｏｎ−ＪＰＥＧ２０００動画符号データ）を復号する手段である。この復号手段１０１により復号された画像データも表示データ（２）として表示データ記憶手段１０２に書き込まれ、表示制御手段１０３により表示手段１０４に画面表示される。
【００４０】
表示データ（１）と表示データ（２）の表示形態としては、それぞれを画面上の別々の表示領域（ウィンドウ）に表示させる形態、又は、表示データ（１）を前景として、表示データ（２）を背景として画面に表示させる形態をとることができる（これは後記実施形態２においても同様である）。
【００４１】
当該情報処理システムは、環境情報検出手段１１０と環境評価手段１１１を含む。環境情報検出手段１１０は、業務処理手段１００を利用して業務を行う作業者の作業環境情報を検出する手段であり、作業者の執務部屋や、その部屋のあるフロアーなどの作業環境情報の検出に適した場所に配置される。環境評価手段１１１は、環境情報検出手段１１０により検出された環境情報から作業環境を評価する手段である。
【００４２】
図７は、環境情報検出手段１１０及び環境評価手段１１１の一実施例を示すブロック図である。ここに示す例では、環境情報検出手段１１０は室温を検出する温度検出部２０１（温度センサ）、室内の湿度を検出する湿度検出部２０２（湿度センサ）及び室内の明るさを検出する明るさ検出部２０３（明るさセンサ）から構成される。
【００４３】
環境評価手段１１１は、各検出部２０１，２０２，２０３により検出された室内の温度ｔ，湿度ｈ，明るさＬと、予め設定された理想的な温度ｔ０，湿度ｈ０，明るさＬ０との差の絶対値|t-t0|，|h-h0|，|L-L0|を求めるための検出部２０４，２０５，２０６と、それら絶対値|t-t0|,|h-h0|,|L-L0|をそれぞれα、β、γ倍することにより正規化する正規化部２０７，２０８，２０９と、正規化後の差の絶対値から快適度ｋ
ｋ＝１／(α|t-t0|+β|h-h0|+γ|L-L0|)
を算出する算出部２１０とから構成され、その快適度ｋを作業環境の評価値として出力する。上記α、β、γは正規化のためのパラメータであり、快適度に寄与する度合いが大きいパラメータほど値を大きく設定する。例えば、α＝３，β＝1，γ２に設定される。
【００４４】
このような環境情報入力手段１１０及び環境評価手段１１は、それぞれ個別の手段として実現することも可能であるが、近年普及が進んでいる情報処理能力を持つセンサ、いわゆるスマートセンサ（インテリジェントセンサ）を用いて実現することも可能である。
【００４５】
スマートセンサを用いる場合、図７に示した環境評価手段に対応した機能は、例えば図８に示すような処理をスマートセンサ内のプロセッサに実行させることにより実現することができる。図８において、まず、温度センサより温度ｔを入力し（ｓｔｅｐ１１）、次に理想の温度t0を入力する（ｓｔｅｐ１２）。次に湿度センサより湿度ｈを入力し（ｓｔｅｐ１３）、次に理想の湿度h0を入力する（ｓｔｅｐ１４）。次に明るさセンサより明るさＬを入力し（ｓｔｅｐ１５）、次に理想の明るさL0を入力する（ｓｔｅｐ１６）。次にΔt=|t-t0|、Δh=|h-h0|、ΔL=|L-L0|を算出し（ｓｔｅｐ１７，１８，１９）、それぞれの正規化値Δt'=αΔt、Δh'=βΔh、ΔL'=γΔLを算出しｓｔｅｐ２０）、最後に快適度ｋ=1/(Δt'+Δh'+ΔL')を算出する（ｓｔｅｐ２１）。このような処理は、一定間隔で繰り返し実行される。
【００４６】
再び図５を参照する。当該情報処理システムは、ＪＰＥＧ２０００の静止画符号データこの符号保存手段１２０より符号データを取り込む符号入力手段１２１、この符号入力手段１２１より入力された符号データに対する編集を行う符号編集手段１２２、環境評価手段１１１の評価結果である快適度ｋと閾値設定手段１３１で設定された１以上の閾値との比較判定を行う快適度判定手段１３０を含む。復号手段１０１に入力される符号は、符号編集手段１２２により編集後の符号である。
【００４７】
なお、破線で囲んだブロックＡは図５には１つのみ示されているが、一般的には複数個存在する。また、破線で囲んだブロックＢを各ブロックＡに対応して複数設ける形態とすることも、複数のブロックＡに対し１つのブロックＢを設ける形態とすることも可能である。そのいずれの形態であっても、環境情報検出手段１１０及び環境評価手段１１１は１組のみ設ければよい。
【００４８】
複数のブロックＡに共通した１つのブロックＢを設ける形態においては、閾値設定手段１３１で各ブロックＡ毎に、つまり作業者毎に、閾値を設定できることが好ましい。これは、快適度の高低（良否）の感じ方には作業者により個人差があるため、その個人差に応じて閾値を変更したい場合があること、さらに、業務の種類などによって閾値を変更したい場合もあり得るからである。
【００４９】
近年のオフィス環境においてはサーバ装置とクライアント装置をＬＡＮなどで接続したクライアント・サーバシステムが一般的になっている。したがって、複数のブロックＡに共通の１つのブロックＢを設ける形態の場合には、ブロックＡをクライアント装置に実装し、ブロックＢをサーバ装置に実装するシステム形態とするのが一般に好ましいであろう。なお、環境評価手段１１１から快適度判定手段１３０への快適度ｋの転送路は有線でも無線でもよい。符号入力手段１２１は、インターネット等のネットワーク経由で符号データを取り込む手段とすることも可能である。
【００５０】
図６はブロックＢにおける処理の流れを示すフローチャートである。ブロックＢの符号入力手段１２１は、符号保存手段１２０より、ＪＰＥＧ２０００の静止画符号データ又はＭｏｔｉｏｎ−ＪＰＥＧ２０００の動画符号データの１フレーム分（もしくは数フレーム分）を読み出して符号編集手段１２２に入力する（ｓｔｅｐ１）。快適度判定手段１３０は環境評価手段１１１より快適度ｋを入力し（ｓｔｅｐ２）、その快適度ｋと閾値設定手段１３１で設定された閾値ｔｈとの比較判定を行う（ｓｔｅｐ３）。その判定の結果がＹｅｓ（ｋ＜ｔｈ）ならば（快適度ｋが低いと判定されたとき）、符号編集手段１２２は入力した符号データに対し一部符号を破棄する編集処理を行い（ｓｔｅｐ４）、編集後の符号データをブロックＡの復号手段１０１へ出力する（ｓｔｅｐ５）。判定結果がＮｏ（ｋ≧ｔｈ）ならば（快適度ｋが高いと判定されたとき）、符号編集手段１２２は入力した符号データをそのまま復号手段１０１へ出力する（ｓｔｅｐ５）。
【００５１】
このような処理は、一定時間間隔で繰り返し実行される。したがって、静止画符号データの場合は、同じ静止画の符号データが一定時間間隔で繰り返し復号手段１０１に入力される。動画符号データの場合は、１フレーム単位（もしくは数フレーム単位）で符号データが順に復号手段１０１に入力されることになる。
【００５２】
また、１つのブロックＢを複数のブロックＡに共通させて設ける形態において、全てのブロックＡに対し共通の閾値ｔｈを用いる場合には、ｓｔｅｐ５で複数のブロックＡの復号手段１０１に対し同じ符号データを入力すればよい。しかし、各ブロックＡ毎に（作業者毎に）閾値ｔｈを設定する場合には、ブロックＡ別に、対応した閾値ｔｈを用いてｓｔｅｐ２以降の処理を繰り返し実行することになる。
【００５３】
次に、符号編集手段１２２による符号編集と、表示手段１０４に表示される画像との関係について説明する。
【００５４】
符号編集手段１２２への入力符号データが例えば図９の上段に示すような解像度プログレッシブの符号データ（例えばＪＰＥＧ２０００のＲＬＣＰプログレッションの符号データ）であるとする。快適度ｋが高いときには、この入力符号データがそのまま復号手段１０１に入力されるため、例えば図１０の左側に示すような画像が表示手段１０４に表示される。これに対し、快適度ｋが低いときには、符号編集手段１２２により図９の下段に示すような１ＨＬ，１ＬＨ，１ＨＨサブバンドの符号を破棄した符号データが復号手段１０１に入力されるため、例えば図１０の右側に示すような縦横サイズが半減した（解像度が半減した）画像が表示される。
【００５５】
なお、快適度が高いときに符号を破棄し、快適度が低いときに符号を破棄しないようにしてもよい。また、快適度の高低を複数の閾値を用いて多段階に判定し、符号データの最高解像度レベルのサブバンド符号側から、快適度が低い（高い）ほど、多くの符号を破棄するようにしてもよい。
【００５６】
入力符号データが例えば図１１の上段に示すような画質プログレッシブの符号データ（ＪＰＥＧ２０００のＬＲＣＰプログレッションの符号データ）であるとする。快適度ｋが高いときには、この入力符号データがそのまま復号手段１０１に入力されるため、例えば図１２の左側に示すような画質の良い画像が表示される。これに対し、快適度ｋが低いときには、符号編集手段１２２により図１１の下段に示すようなレイヤー２，３の符号を破棄した符号が復号手段１０１に入力されるため、例えば図１２の右側に示すような画質の低い画像が表示される。
【００５７】
なお、快適度が高いときに符号を破棄し、快適度が低いときに符号を破棄しないようにしてもよい。また、快適度の高低を複数の閾値を用いて多段階に判定し、符号データの最下位レイヤー側から、快適度が低いほど（又は高いほど）多くの符号を破棄するようにしてもよい。
【００５８】
また、入力符号データが例えば図１３の上段に示すようなコンポーネントプログレッシブの符号データ（ＪＰＥＧ２０００のＣＰＲＬプログレッションの符号データ）であるとする。快適度ｋが高いときには、この入力符号データがそのま復号手段１０１に入力されるため、カラー画像が表示される。一方、快適度ｋが低いときには、符号編集手段１２２により図１３の下段に示すようなＣｒ，Ｃｂコンポーネントを破棄した符号データが復号手段１０１に入力されるため、輝度コンポーネントのみのモノクロ画像が表示されることになる。
【００５９】
なお、快適度が高いときにＣｒ，Ｃｂコンポーネントを破棄してモノクロ画像を表示させ、快適度が低いときにＣｂ，Ｃｒコンポーネントを破棄せずカラー画像を表示させるようにしてもよい。また、快適度の高低を複数の閾値を用いて多段階に判定し、快適度が低下するに従って、Ｃｂ，Ｃｒコンポーネントの符号破棄量を増加又は減少させることにより表示画像の色味を減らし又は増加させるようにしてもよい。
【００６０】
また、入力符号データが例えば図１６に示すような４タイル分割された符号データ、つまりタイルを単位とした位置プログレッシブの符号データであるとする。快適度ｋが高いときには、この入力符号データがそのまま復号手段１０１に入力されるため、画像全体が表示される。しかし、快適度ｋが低いときには、符号編集手段１２２により図１４の下段に示すようなタイル２，３の符号を破棄した符号データが復号手段１０１に入力されるため、破棄されたタイル２，３の領域が切り取られた画像が表示されることになる。
【００６１】
図１５は、このような位置プログレッシブ符号データの符号破棄を行うことによる表示画像の変化を例示しており、左側が快適度ｋが高いときの画像、右側が快適度ｋが低いときの画像である。
【００６２】
同様な符号破棄をプリシンクト単位で行うことも可能である。例えば、タイル分割を行わないＲＣＲＬプログレッションの符号データ（図１４中のタイルをプリシンクトに置き換えて考えることができる）の場合、快適度ｋが高いときは符号データをそのまま復号手段１０１に入力し、全プリシンクトの領域を含む画像を表示させ、快適度ｋが低いときに例えばプリシンクト（２，３）の符号を破棄した符号データを復号手段１０１に入力し、該プリシンクトの領域が切り取られた画像を表示させることができる。
【００６３】
なお、快適度が高いときに符号を破棄し、快適度が低いときに符号を破棄しないようにすることもできる。また、快適度の高低を複数の閾値を用いて多段階に判定し、快適度が低いほど符号を破棄するタイルもしくはプリシンクトを増加又は減少させるようにしてもよい。
【００６４】
以上のように、作業者が作業中に注視する表示手段１０４の画面上に、作業環境の快適度の高低を反映した画像が表示されるため、作業者に作業環境の悪化などを確実に気づかせることができる。
【００６５】
ここで、Ｍｏｔｉｏｎ−ＪＰＥＧ２０００の動画符号データを表示する場合について説明を補足する。Ｍｏｔｉｏｎ−ＪＰＥＧ２０００の動画符号データの各フレームを独立してＪＰＥＧ２０００で符号化したものであり、したがって復号も各フレーム独立に行うことができる。このような動画符号データを表示させる場合、前述のように、図６のｓｔｅｐ１で先頭フレームから１フレーム（又は数フレーム）ずつ符号データを取り込み、快適度が高いときはそのまま、快適度が低いときに符号破棄を行ってから、伸長手段１０１へ入力し表示させる処理を、一定時間間隔で繰り返すことができる。ただし、先頭フレームから１フレーム（又は数フレーム）の符号データを、快適度に関係なく、そのまま伸長手段１０１に入力し、この間に快適度の判定を行い、この判定結果に応じて次の所定数フレームの入力時に必要な符号破棄を行い、この間に次の快適度判定を行い、この判定結果に応じて次の所定数フレームの入力時に必要な符号破棄を行う、というように処理してもよい。
【００６６】
なお、ＪＰＥＧ２０００の静止画符号データ、Ｍｏｔｉｏｎ−ＪＰＥＧ２０００の動画符号データは、簡単な符号破棄によって、解像度、画質、コンポーネント、位置について表示画像を変化させることができる。ただし、同様な符号破棄と、符号が破棄された符号データの復号が可能であれば、他の符号化方式により符号化された静止画又は動画符号データを用いることも可能である。
【００６７】
ここまでの説明から明らかなように、当該情報処理システムのブロックＡとブロックＢは、ＣＰＵやメモリ等から構成されたコンピュータを利用し、１以上のプログラムにより実現することができる。すなわち、ブロックＡ，Ｂの構成手段又はブロックＡ又はブロックＢの構成手段としてコンピュータを機能させるためのプログラムをコンピュータのメモリにロードし、それをコンピュータのＣＰＵで実行させることによりブロックＡ，Ｂを実現することができる。このプログラムには、業務処理手段１００としてのアプリケーションプログラムが含まれていてもいなくとも構わない。そのようなアプリケーションプログラムは、独立したプログラムとしてコンピュータにインストールするほうが好ましい場合も多いからである。このようなプロクラムと、それが記録された磁気ディスク、光ディスク、光磁気ディスク、半導体記憶素子等のコンピュータが読み取り可能な情報記録（記憶）媒体は、請求項１４，１７の発明の実施形態である。
【００６８】
なお、特許請求の範囲との対応について付言すれば、復号手段１０１、符号編集手段１２２及び符号入力手段１２１は請求項４に記載の「画像データ入力手段」を構成するものである。表示制御手段１０３は表示データ記憶手段１０２とともに請求項１記載の「表示させる手段」を構成するものである。
【００６９】
また、本実施形態は請求項１２の発明に係る作業環境報知方法の一実施形態でもあることは、以上の説明から明らかであろう。
【００７０】
［実施形態２］
図１６は本発明の実施形態２に係るシステムの全体的構成を示すブロック図である。本実施形態に係るシステムにおいては、前記実施形態１に係る符号編集手段１２２は省かれ、復号手段１０１による復号画像データに対し解像度変換処理、平滑化フィルタ処理、モノクロ変換処理、切り取り（クリッピング）処理を行うための画像編集手段１０６が設けられ、快適度判定手段１３０による判定結果は画像編集手段１０６に入力される。
【００７１】
なお、本実施形態では、符号編集を行わないので、符号入力手段１２１により符号保存手段１２０より読み出されて復号手段１０１に入力される符号データは、ＪＰＥＧ２０００の静止画符号データやＭｏｔｉｏｎ−ＪＰＥＧ２０００の動画符号データに限らず、基本的に任意の符号化方式による静止画又は動画の符号データで構わない。例えば、ＪＰＥＧの静止画符号データ、Ｍｏｔｉｏｎ−ＪＰＥＧの動画符号データ、フレーム間差分を利用するＭＰＥＧの動画符号データ等でもよい。
【００７２】
図１７は、符号入力手段１２１により静止画又は動画の符号データを入力し、その画像を表示手段１０４に表示する動作の流れを示すフローチャートである。この動作は一定時間間隔で繰り返される。
【００７３】
静止画の符号データ、又は、動画の１フレーム（又は数フレーム）の符号データが符号入力手段１２１により復号手段１０１に入力され（ｓｔｅｐ３１）、その符号データが復号手段１０１により復号され、その復号画像データが画像編集手段１０６へ入力される（ｓｔｅｐ３２）。環境評価手段１１１より快適度ｋが快適度判定手段１３０に入力され（ｓｔｅｐ３３）、快適度判定手段１３０で閾値設定手段１３１により設定された閾値ｔｈと快適度ｋの比較判定が行われ、その判定結果が画像編集手段１０６に入力される（ｓｔｅｐ３４）。判定結果がＮｏ（快適度ｋが閾値ｔｈより高い）の場合には、画像編集手段１０６で画像編集は行われず、復号手段１０１により復号された画像データがそのまま表示データ（２）として表示データ記憶手段１０２に書き込まれ、表示制御手段１０３によって表示手段１０４に画面表示される（ｓｔｅｐ３６）。判定結果がＹｅｓ（快適度ｋが閾値ｔｈより低い）の場合には、画像編集手段１０６で復号画像データは画像編集処理を施され、編集後の画像データが表示データ（２）として表示データ記憶手段１０２に書き込まれ（ｓｔｅｐ１０６）、それが表示制御手段１０３により表示手段１０４に画面表示される（ｓｔｅｐ３６）。
【００７４】
ｓｔｅｐ３５における画像編集処理の一例は、解像度を下げる解像度変換処理であり、快適度が高いときには例えば図１０の左側に示すような画像が表示され、快適度が低いときには図１０の右側に示すような縮小画像が表示されることになる。なお、快適度が高いときに解像度変換処理を施し、快適度が低いときに解像度変換処理を施さないようにしてもよい。また、快適度の高低を複数の閾値を用いて多段階に判定し、快適度の高低に応じて解像度を段階的に変換するようにしてもよい。
【００７５】
ｓｔｅｐ３５における画像編集処理のもう１つの例は、平滑化フィルタ処理であり、快適度が高いときには例えば図１２の左側に示すような鮮明な画像が表示されるが、快適度が低いときには図１２の右側に示すような鮮明度が低下した画像が表示される。なお、快適度が高いときに平滑化フィルタ処理を施し、快適度が低いときに平滑化フィルタ処理を施さないようにしてもよい。また、快適度の高低を複数の閾値を用いて多段階に判定し、快適度の高低に応じて平滑化フィルタ処理の平滑化度を段階的に変化させるようにしてもよい。
【００７６】
画像編集処理のもう１つの例は、モノクロ変換処理であり、快適度が高いときにはカラー画像が表示されるが、快適度が低いときにはモノクロ画像が表示される。なお、快適度の高いときにモノクロ変換を行い、快適度の低いときにモノクロ変換を行わないようにしてもよい。また、快適度の高低を複数の閾値を用いて多段階に判定し、快適度の高低に応じて画像の色味を段階的に変化させるようにしてもよい。
【００７７】
画像編集処理のもう１つの例は、切り取り（クリッピング）処理であり、快適度が高いときには例えば図１５の左側に示すような画像が表示されるが、快適度が低いときには図１５の右側に示すような元の画像の一部領域が切り取られた画像が表示される。なお、快適度が高いときに切り取り処理を行い、快適度が低いときに切り取り処理を行わないようにすることも可能である。また、快適度の高低を複数の閾値を用いて多段階に判定し、快適度の高低に応じて切り取り領域の面積を段階に変化させるようにしてもよい。
【００７８】
このように作業者が注視する画面上に、作業環境の快適度の快適度の高低を反映した画像が表示されるため、作業者に作業環境の悪化などを確実に気づかせることができる。
【００７９】
なお、本実施形態に係るシステムについても、ブロックＡとブロックＢは、ＣＰＵやメモリ等から構成されたコンピュータを利用し、１以上のプログラムにより実現することができる。すなわち、ブロックＡ，Ｂの構成手段又はブロックＡ又はブロックＢの構成手段としてコンピュータを機能させるためのプログラムをコンピュータのメモリにロードし、それをコンピュータのＣＰＵで実行させることによりブロックＡ，Ｂを実現することができる。このプログラムには、業務処理手段１００としてのアプリケーションプログラムが含まれていてもいなくともよい。このようなプログラム、及び、同プログラムが記録されたコンピュータ読み取り可能な各種の情報記録（記憶）媒体は、請求項１５，１７の発明の一実施形態である。
【００８０】
本実施形態と特許請求の範囲との対応について付言すれば、復号手段１０１、画像編集手段１０６及び符号入力手段１２１は請求項５記載の「画像データ入力手段」を構成するものである。
【００８１】
また、本実施形態は請求項１２の発明に係る作業環境報知方法の一実施形態でもあることは、以上の説明から明らかであろう。
【００８２】
［実施形態３］
図１８は本発明の実施形態３に係るシステムの全体構成を示すブロック図である。前記実施形態１，２においては業務処理手段１００の表示データとは別の表示データ（画像データ）の表示を快適度判定結果に応じて変化させたが、本実施形態では、同様の目的を、業務処理手段１００の表示データの表示を快適度判定結果に応じて変化させることによって達成する。図１８中の表示撹乱／復旧手段１０７が、そのような表示データの表示を快適度判定結果に応じて変化させるために設けられた手段である。
【００８３】
図１９は快適度判定手段１３０と表示撹乱／復旧手段１０７の動作を説明するためのフローチャートである。この動作は一定時間間隔で繰り返し実行される。
【００８４】
まず、快適度判定手段１３０は環境評価手段１１１より快適度ｋを入力し（ｓｔｅｐ４１）、閾値設定手段１３１で設定された閾値ｔｈと快適度ｋの比較判定を行う（ｓｔｅｐ４２）。快適度ｋが閾値ｔｈより低い場合（ｓｔｅｐ４２，Ｙｅｓ）、表示データの表示が撹乱状態であるか調べ（ｓｔｅｐ４３）、撹乱状態でなければ（正常表示状態であれば）、表示撹乱／復旧手段１０７は表示データ記憶手段１０２上の表示データの表示を撹乱させる処理、例えば表示データ中の文字コードに定数を加算する等により文字コードを意図的に変化させる処理を行う（ｓｔｅｐ４４）。この処理を施した表示データを表示制御手段１０３により表示手段１０４に画面表示すると、いわゆる「文字化け」を起こす。したがって、作業者に作業環境の悪化を確実に気づかせることができる。
【００８５】
ｓｔｅｐ４２で快適度が閾値ｔｈより高いと判定された場合、表示撹乱／復旧手段１０７は、正常表示状態であるか調べる（ｓｔｅｐ４５）。正常表示状態でないときには（すでに表示撹乱状態であるときには）、表示撹乱／表示手段１０７は表示データ記憶手段１０２上の表示データの文字コードを元に戻す処理を行い（ｓｔｅｐ４６）、表示データが正常に表示される状態に復旧させ、作業者が通常の作業を遂行できるようにする。
【００８６】
なお、正常表示への復旧を容易にするため、ｓｔｅｐ４４で撹乱処理前の表示データを表示データ記憶手段１０２内に保存しておき、ｓｔｅｐ４６で撹乱処理済み表示データを保存されている正常な表示データと置き換える方法を用いてもよい。
【００８７】
また、快適度が低いときの表示撹乱の方法は、必ずしも「文字化け」を生じさせる方法に限定されない。例えば、快適度が低いときに、表示撹乱／復旧手段１０７より表示制御手段１０３に対し、極端に大きい又は小さいフォントサイズや、通常利用されないようなフォント種類を指定することにより、表示データを不自然な形で表示させる等の方法をとることもできる。要は、快適度が低くなったことを作業者が容易に認識できるように、表示データの表示を変化させればよい。
【００８８】
なお、本実施形態に係るシステムについても、ブロックＡとブロックＢは、ＣＰＵやメモリ等から構成されたコンピュータを利用し、１以上のプログラムにより実現することができる。すなわち、ブロックＡ，Ｂの構成手段又はブロックＡ又はブロックＢの構成手段としてコンピュータを機能させるためのプログラムをコンピュータのメモリにロードし、それをコンピュータのＣＰＵで実行させることによりブロックＡ，Ｂを実現することができる。このプログラムには、業務処理手段１００としてのアプリケーションプログラムが含まれていてもいなくともよい。このようなプログラム、及び、同プログラムが記録されたコンピュータ読み取り可能な各種の情報記録（記憶）媒体は、請求項１６，１７の発明の一実施形態である。
【００８９】
また、本実施形態は請求項１３の発明に係る作業環境報知方法の一実施形態でもあることは、以上の説明から明らかであろう。
【図面の簡単な説明】
【００９０】
【図１】ＪＰＥＧ２０００の符号化処理の流れを説明するためのブロック図である。
【図２】サブバンド分割の例とサブバンドと解像度レベルの対応を示す図である。
【図３】画像、タイル、プリシンクト、コードブロックの関係を示す図である。
【図４】レイヤーとパケットの例を示す図である。
【図５】本発明の実施形態１に係るシステムの全体構成を示すブロック図である。
【図６】動作説明のためのフローチャートである。
【図７】環境情報検出手段及び環境評価手段のブロック図である。
【図８】環境評価手段のフローチャートである。
【図９】解像度プログレッシブの符号データの符号破棄の例を示す図である。
【図１０】図９の符号データに対応した画像表示の例を示す図である。
【図１１】画質プログレッシブの符号データの符号破棄の例を示す図である。
【図１２】図１０の符号データに対応した画像表示の例を示す図である。
【図１３】コンポーネント・プログレッシブの符号データの符号破棄の例を示す図である。
【図１４】位置プログレッシブの符号データの符号破棄の例を示す図である。
【図１５】図１４の符号データに対応した画像表示の例を示す図である。
【図１６】本発明の実施形態２に係るシステムの全体構成を示すブロック図である。
【図１７】動作説明のためのフローチャートである。
【図１８】本発明の実施形態３に係るシステムの全体構成を示すブロック図である。
【図１９】動作説明のためのフローチャートである。
【符号の説明】
【００９１】
１００    業務処理手段
１０１    復号手段
１０２    表示データ記憶手段
１０３    表示制御手段
１０４    表示手段
１０６    画像編集手段
１０７    表示撹乱／復旧手段
１１０    環境情報検出手段
１１１    環境評価手段
１２０    符号保存手段
１２１    符号入力手段
１２２    符号編集手段
１３０    快適度判定手段
１３１    閾値設定手段
【図１】
2006318189.tif 000003
【図２】
2006318189.tif 000004
【図３】
2006318189.tif 000005
【図４】
2006318189.tif 000006
【図５】
2006318189.tif 000007
【図６】
2006318189.tif 000008
【図７】
2006318189.tif 000009
【図８】
2006318189.tif 000010
【図９】
2006318189.tif 000011
【図１０】
2006318189.tif 000012
【図１１】
2006318189.tif 000013
【図１２】
2006318189.tif 000014
【図１３】
2006318189.tif 000015
【図１４】
2006318189.tif 000016
【図１５】
2006318189.tif 000017
【図１６】
2006318189.tif 000018
【図１７】
2006318189.tif 000019
【図１８】
2006318189.tif 000020
【図１９】
2006318189.tif 000021